(57)【要約】【課題】複数のキャビネット１に対して要望に応じて後付けでき、且つ前面を壁面に似せて、すっきりとした外観にできるようにした、キャビネットの前面用スライド扉装置を提供することを目的とする。【解決手段】前面縁１６を横一直線状に並べた複数のキャビネット１の全ての前面を開閉自在に覆うスライド扉装置１０であって、複数枚のスライド扉１１の上下部を案内するための上下レール体１２、１３を前記並列状キャビネットの間口の長さに設定し、前記上下レール体１２、１３には、キャビネット１に対して着脱自在可能に連結固定するためのブラケット１４、１５を備えたものである。【選択図】  図３
2004255039.tif 000002
【特許請求の範囲】
【請求項１】
間口方向に沿って前面を横一直線状に並べたキャビネットの全ての前面を開閉自在に覆うスライド扉装置であって、
複数枚のスライド扉の上下部を案内するための上下レール体を前記並列状キャビネットの間口の長さに設定し、前記上下レール体には、キャビネットに対して着脱自在可能に連結固定するためのブラケットを備えたことを特徴とするキャビネットの前面用スライド扉装置。
【請求項２】
前記上下レール体に対して、複数枚のスライド扉を面一状にて閉止できるように構成したことを特徴とする請求項１に記載のキャビネットの前面用スライド扉装置。
【発明の詳細な説明】
【０００１】
【発明の属する技術分野】
本発明は、間口方向に横一直線状に並べたキャビネットの前面を開閉可能に覆うスライド扉装置に係り、後付けにより、外観がシンプルに見えるようにした構成に関するものである。
【０００２】
【従来の技術】
キャビネットやタンス等の収納家具の前面に、回動式の片開きの開閉扉や両開きの開閉扉を設けたものは、特許文献１や特許文献２に見られるように、公知である。
【０００３】
また、地板を有しない正面視門型の収納家具の前面を開閉自在に覆うために、吊り引き戸の上部を吊支するための上レールを、前記収納家具の前面に取付けしたものも、特許文献３にて公知である。これらのように、引き戸や回動式の開閉扉にて、収納家具の前面を覆うと、収納家具の棚板や抽斗等の区切りとなる横長線が外から見えなくなり、外観がすっきりするという効果があった。
【０００４】
【特許文献１】
実公平０２−４５９８号公報
【特許文献２】
実公平０２−６８３１号公報
【特許文献３】
特許第３１６３１７９号公報
【０００５】
【発明が解決しようとする課題】
しかしながら、抽斗用や棚板用等の複数のキャビネットを、その前面が平面視で一直線状になるように横並びさせたものでも、それらの前面を壁面に似せて、すっきりとした外観にする要望があった。
【０００６】
本発明は、これらの要望に応えるべくなされたものであって、要望に応じて後付けでき、且つ前面を壁面に似せて、すっきりとした外観にできるようにした、キャビネットの前面用スライド扉装置を提供することを目的とするものである。
【０００７】
【課題を解決するための手段】
前記目的を達成するため、請求項１に記載の発明のキャビネットの前面用スライド扉装置は、間口方向に沿って前面を横一直線状に並べたキャビネットの全ての前面を開閉自在に覆うスライド扉装置であって、複数枚のスライド扉の上下部を案内するための上下レール体を前記並列状キャビネットの間口の長さに設定し、前記上下レール体には、キャビネットに対して着脱自在可能に連結固定するためのブラケットを備えたものである。
【０００８】
また、請求項２に記載の発明は、請求項１に記載のキャビネットの前面用スライド扉装置において、前記上下レール体に対して、複数枚のスライド扉を面一状にて閉止できるように構成したことを特徴とするものである。
【０００９】
【発明の実施の形態】
次に、本発明を具体化した実施形態について図面を参照しながら説明する。図１は、横一列状（横一直線状）に並べた複数のキャビネット及びそれらの前面を覆うためのスライド扉装置の斜視図、図２は横一直線状に並べた複数のキャビネット及びその前面を覆うためのスライド扉装置の平面で示す説明図、図３（ａ）は第１実施形態の上下レール体の要部側断面図、図３（ｂ）は第２実施形態の下レール体の要部側断面図、図４は上下レール体の第３実施形態の要部側断面図である。
【００１０】
図１及び図２に示すように、間口方向に沿って前面の縁を横一直線状に並べるキャビネット１（個別には、符号の１ａ〜１ｄで示す）は、それぞれ左右側板２，２、天板３、地板４及び背板５にて枠体を構成し、その前面が開放状である。前記側板２、天板３、地板４及び背板５は薄い金属板を屈曲形成したものでも良いし、合板、木質チップの集成体、インシュレーションボード等の木質材料により形成しても良い。
【００１１】
キャビネット１ａ〜１ｄは、上下に適宜間隔で棚板６を取付け高さ位置調節可能に装着したもの、下部側に複数段の抽斗７を配置すると共にその上方の空間に棚板６を取付け高さ位置調節可能に装着したしたもの、透明トレイ８を上下複数段に配置すると共に、その上方の空間に棚板６を取付け高さ位置調節可能に装着したもの、図示しないが前記棚板６の前側を片開きもしくは両開き式の回動扉で覆ったもの等の種々のタイプがある。また、各キャビネットの高さ寸法は数種類有り、それらを上下に積み上げて、全体の高さ寸法Ｈ１とする場合もある。これらのキャビネット１ａ〜１ｄは、それぞれベース９に載置され、且つ全体の高さ寸法Ｈ１は同じになるように設定しても良い。
【００１２】
また、前記キャビネット１における抽斗７及び透明トレイ８の鏡板やその前面に突出している引手や前記回動扉の引手が、前記左右側板２，２、天板３、地板４の前縁よりも前方向に突出していない形態にする。
【００１３】
本発明に係るスライド扉装置１０は、前面が横一直線状に並べられたキャビネット１の、前記前面を開閉可能とするように間口方向に沿って移動可能な複数のスライド扉１１が上レール体１２と下レール体１３とに支持されている。
【００１４】
また、前記上下レール体１２，１３は、前記複数のキャビネット１ａ〜１ｄの間口方向にわたる全長と等しい長さを有し、これら上下レール体１２，１３には金属板製等の横長のブラケット１４，１５がそれぞれビス止め等にて固着されている。複数のキャビネット１ａ〜１ｄをその前面縁１６が一直線状に揃うように並べた後、前記のブラケット１４、１５をビスまたはボルト１７にて各キャビネット１における天板３の上面及び地板４もしくはベース９に後付けするものである（図３（ａ）、図３（ｂ）及び図４参照）。
【００１５】
前記上下レール体１２，１３におけるスライド扉１１の移動形態については、第１実施形態では、図２の平面視に示すごとく、キャビネット１ａ〜１ｄの前面縁１６から遠い側に、間口方向の全長にわたって凹溝状の主ガイドレール２０を設ける。そして、スライド扉１１の閉止位置近傍には、前記主ガイドレール２０から前記前面縁１６に近づく方向に延びる補助ガイドレール２１を連通させて設け、全閉直前位置から全閉位置にわたって各スライド扉１１をその厚み方向の分力方向に移動させ、全閉位置では複数枚のスライド扉１１が略面一に並ぶことができるように構成されている。
【００１６】
そして、各スライド扉１１の上端の縦軸には、前記上レール体１２における主ガイドレール２０及び補助ガイドレール２１に沿って摺動する摺動子または回転する転輪等の上案内部材２２が取付けられており、同様に各スライド扉１１の下端の縦軸には、下レール体１３における主ガイドレール２０及び補助ガイドレール２１に沿って摺動する摺動子または回転する転輪等の下案内部材２３が取付けられている。各スライド扉１１の荷重を上レール体１２のレール部にて支持する場合には、上案内部材２２が前記ガイドレール部内に嵌まって吊支される構成となり、下案内部材２３は下レール体１３のガイドレール部の下面（底面）に対して浮いていても良い。各スライド扉１１の荷重を下レール体１３のレール部にて支持する場合には、下案内部材２３が下レール体１３のガイドレール部の少なくとも下面（底面）に当接しているように構成すべきである。
【００１７】
図３（ａ）に示すように、下レール体１３が床面２４より上方にて浮いているようにして地板４やベース９に固定することや、図３（ｂ）に示すように、床面２４に対して下レール体１３の下面を当接させた状態で地板４やベース９に固定させて、当該下レール体１３やスライド扉１１の荷重が床面２４で支持するように構成しても良い。
【００１８】
なお、上下レール体１２、１３の長手方向の端部に前記主ガイドレール２０の端部を開放させて、その開放端から、前記上下案内部材２２、２３を挿入すれば良い。
【００１９】
上記の構成によれば、キャビネット１ａ〜１ｄの前面が開放状態であると共に、その前面にはキャビネットの前面縁１６よりも前に抽斗７や透明トレイ８の鏡板や引手が突出しておらず、前記前面縁１６に近接して閉止状態のスライド扉１１を配置できるから、スライド扉装置付きのキャビネット１の奥行き寸法を小さくできる。また、個々のキャビネット１ａ〜１ｄの奥行き寸法が異なる場合に、全てのキャビネットの前面縁１６が一直線に揃うように一列状に横並びさせて、その前面側に、上下レール体１２、１３を後付けにて固定すれば、この横並びのキャビネットが勝手に前後左右に移動できず、収納家具としてのキャビネットの配置を揃えた状態に簡単に保持できる。さらに、前記全ての開放状のキャビネットの前面を前記スライド扉１１により塞ぐことができるから、その塞いだ状態では広い面積で面一状のスライド扉１１により壁面の外観を呈することができて、すっきりとする。塞いだ状態で複数のスライド扉を面一状に配置すれば、より一層壁面状になる。
【００２０】
図４に示す第２実施形態では、上下レール体１２、１３にそれぞれ二本のガイドレール２５ａ，２５ｂ、２６ａ，２６ｂを、キャビネットの前面縁１６に対して近い側と遠い側とに互いに平行状で且つ間口方向の全長にわたって連続状に設けたものである。この第２実施形態では、各スライド扉１１の下端に転輪２７を設けて、前記下ガイドレール２６ａ（２６ｂ）上を転がるように構成し、スライド扉１１の上端には、前記突条の上ガイドレール２５ａ（２５ｂ）が嵌まる溝２８を凹み形成している。
【００２１】
従って、この実施形態では、スライド扉１１はその厚さ方向（キャビネット１の前後方向）に移動せず、間口方向に互いに隣接するスライド扉１１同士は異なるガイドレールに沿って移動可能に配置すべきである。
【００２２】
なお、各スライド扉１１は、薄鋼板等の金属薄板の内面に石膏ボードやハニカム材を貼着したものや木質材料にて形成して良い。
【００２３】
【発明の効果】
以上に詳述したように、請求項１に記載の発明のキャビネットの前面用スライド扉装置は、間口方向に沿って前面を横一直線状に並べたキャビネットの全ての前面を開閉自在に覆うスライド扉装置であって、複数枚のスライド扉の上下部を案内するための上下レール体を前記並列状キャビネットの間口の長さに設定し、前記上下レール体には、キャビネットに対して着脱自在可能に連結固定するためのブラケットを備えたものである。
【００２４】
このように構成したから、全てのキャビネットの前面縁が一直線に揃うように一列状に横並びさせて、その前面側に、上下レール体を後付けにて固定すれば、この横並びのキャビネットが勝手に前後左右に移動できず、収納家具としてのキャビネットの配置を揃えた状態に簡単に保持できる。さらに、前記全ての開放状のキャビネットの前面を複数のスライド扉により塞ぐことができるから、すっきりとするという効果を奏する。
【００２５】
また、請求項２に記載の発明は、請求項１に記載のキャビネットの前面用スライド扉装置において、前記上下レール体に対して、複数枚のスライド扉を面一状にて閉止できるように構成したことを特徴とするものであるから、その塞いだ状態では広い面積で面一状の壁面の外観を呈することができるという効果を奏する。
【図面の簡単な説明】
【図１】キャビネット及びスライド扉装置の斜視図である。
【図２】主ガイドレールと補助ガイドレールの状態を示す平面図である。
【図３】（ａ）は図２の  ＩＩＩａ  −ＩＩＩａ線矢視拡大側断面図、（ｂ）は下レール体の取付け状態の他の実施形態を示す側断面図である。
【図４】上下レール体の第２実施形態を示す要部拡大断面図である。
【符号の説明】
１、１ａ，１ｂ，１ｃ，１ｄ    キャビネット
２      側板
３      天板
４      地板
６      棚板
７      抽斗
８      透明トレイ
９      ベース
１０      スライド扉装置
１１      スライド扉
１２      上レール体
１３      下レール体
１４、１５    上下ブラケット
１６      前面縁
１７      ボルト
２０      主ガイドレール
２１      補助ガイドレール
【図１】
2004255039.tif 000003
【図２】
2004255039.tif 000004
【図３】
2004255039.tif 000005
【図４】
2004255039.tif 000006